(57)【特許請求の範囲】
【請求項１】
複式スイッチであって、１列に配置された少なくとも２つのスイッチ装置を備え、該少なくとも２つのスイッチ装置の各々が、双方のスイッチ装置に共通する上面部に配置された作動面を有する前記複式スイッチにおいて、
前記各スイッチ装置は、個別のモジュールハウジング（１２）が設けられ、且つ該各モジュールハウジング（１２）は均一な形状を有すると共に前記上面部に平行な基部表面を有し、該各モジュールハウジング（１２）は接続要素（１４）により、互いに対し機械的に堅固に結合され、
前記接続要素（１４）が、前記モジュールハウジング（１２）の対応するリセス部（３２）内に挿入可能な少なくとも２つの突き出し部（２６）を備え、該リセス部（３２）は前記モジュールハウジング（１２）の前記基部表面上に形成され、前記突き出し部（２６）の各々が、前記上面部の方へ突き出して前記リセス部（３２）へ挿入係合する少なくとも１つのピン（２８）を備え、
前記接続要素（１４）が、略平行六面体状の基部本体（２２）を備え、
該基部本体（２２）が、前記モジュールハウジング（１２）のそれぞれの側面領域に接続することのできる２つの平行な主要な表面領域（Ｐ）と、基部の表面領域（Ｑ）と、該基部の表面領域に対して平行な上側部（Ｒ）と、２つの狭小な表面領域（Ｓ）と、該基部の表面領域（Ｑ）から遠方の一端に各狭小な表面領域（Ｓ）に対し、垂直に突き出すように一体成形されたフランジ（２４）とを備え、
前記フランジ（２４）が、前記モジュールハウジング（１２）の側壁と緊密に係合させることのできる２つの接続表面領域（２４ａ）を備え、
前記２つの突き出し部（２６）は、前記基部の表面領域（Ｑ）近傍に、前記主要な表面領域（Ｐ）を越えて突き出すように設けられ、
少なくとも１つの前記ピン（２８）は、該突き出し部（２６）の各々に前記上側部（Ｒ）の方へ突き出すように設けられ、
リセス部（３２）が前記モジュールハウジングの基部表面領域（Ｑ）上に形成され、
前記リセス部（３２）が突き出し部（２６）及びピン（２８）に対応することを特徴とする、複式スイッチ。
【請求項２】
請求項１に示す複式スイッチにおいて、
前記モジュールハウジング（１２）の一側部における前記突き出し部（２６）及びリセス部（３２）が、反対側のものと寸法、形状、配置の性質の少なくとも１つにて相違することを特徴とする、複式スイッチ。
【請求項３】
請求項１に記載の複式スイッチにおいて、
前記各モジュールハウジング（１２）が、前記リセス部（３２）及び前記ピン（２８）の係合により前記接続要素（１４）に結合されることを特徴とする、複式スイッチ。
【請求項４】
請求項１に記載の複式スイッチにおいて、
前記モジュールハウジング（１２）が、前記リセス部（３２）及び前記ピン（２８）の係合及び溶接の双方により前記接続要素（１４）に結合されることを特徴とする、複式スイッチ。
【請求項５】
請求項１に記載の複式スイッチにおいて、
前記ピン（２８）が円錐形の形状であることを特徴とする、複式スイッチ。
【請求項６】
請求項１に記載の複式スイッチにおいて、
前記フランジ（２４）の前記接続表面領域（２４ａ）の各々が、モジュールハウジング（１２）の側面領域における周縁の支持カラー（１６）の下方に係合することを特徴とする、複式スイッチ。
【請求項７】
請求項１に記載の複式スイッチにおいて、
前記フランジ（２４）が、超音波溶接により前記モジュールハウジング（１２）の前記側面領域に接続されることを特徴とする、複式スイッチ。
【発明の詳細な説明】
【０００１】
【発明の属する技術分野】
本発明は、１列に配置され且つ共通の作動面を画成する２つ以上のスイッチ装置を備える、電気の複式スイッチ（ｍｕｌｔｉｐｌｅ ｓｗｉｔｃｈ）に関する。
【０００２】
【従来の技術】
かかる複式スイッチは、関連する制御機能部分が視覚可能とされるとき、例えば、ダッシュボードにおける人間工学的設計及び設計基準に従って、パッケージ化したスイッチ配列により、色々な装置を電気的に制御すべく特に自動車にて使用されている。前面パネルの適当な開口内に挿入すべく別個のスイッチモジュールを使用することにより、オプション的なスイッチ配列を組み合わせることができる。
【０００３】
【発明が解決しようとする課題】
しかしながら、分離したスイッチモジュールを取り付け且つ配線することは、極めて複雑なことである。その理由は、きれいな外観となるようにスイッチ装置を完全に整合させるのみならず、分離したスイッチ装置を合理的に且つ機能的に正確に配線することを確実にし得るように、かかる複式スイッチが均一なモジュールにて製造されているからである。
【０００４】
大部分がプラスチックにて製造されたハウジングを有するかかる複式スイッチの製造は、関係する余分な費用のため、製造コストを増大させる複雑な追加の鋳型及び製造ラインを必要とする。
【０００５】
【課題を解決するための手段】
本発明は、その視覚性及び合理的でかつ機能的に正確な配線に関して何ら不利益な点が無く、しかも、著しくより経済的に製造することのできる複式スイッチを提供するものである。
【０００６】
本発明によれば、複式スイッチであって、１列に配置された少なくとも２つのスイッチ装置を備え、該少なくとも２つのスイッチ装置の各々が、双方のスイッチ装置に共通する上面部に配置された作動面を有する前記複式スイッチにおいて、
前記各スイッチ装置は、個別のモジュールハウジング（１２）が設けられ、且つ該各モジュールハウジング（１２）は均一な形状を有すると共に前記上面部に平行な基部表面を有し、該各モジュールハウジング（１２）は接続要素（１４）により、互いに対し機械的に堅固に結合され、前記接続要素（１４）が、前記モジュールハウジング（１２）の対応するリセス部（３２）内に挿入可能な少なくとも２つの突き出し部（２６）を備え、該リセス部（３２）は前記モジュールハウジング（１２）の前記基部表面上に形成され、前記突き出し部（２６）の各々が、前記上面部の方へ突き出して前記リセス部（３２）へ挿入係合する少なくとも１つのピン（２８）を備え、前記接続要素（１４）が、略平行六面体状の基部本体（２２）を備え、該基部本体（２２）が、前記モジュールハウジング（１２）のそれぞれの側面領域に接続することのできる２つの平行な主要な表面領域（Ｐ）と、基部の表面領域（Ｑ）と、該基部の表面領域に対して平行な上側部（Ｒ）と、２つの狭小な表面領域（Ｓ）と、該基部の表面領域（Ｑ）から遠方の一端に各狭小な表面領域（Ｓ）に対し、垂直に突き出すように一体成形されたフランジ（２４）とを備え、前記フランジ（２４）が、前記モジュールハウジング（１２）の側壁と緊密に係合させることのできる２つの接続表面領域（２４ａ）を備え、前記２つの突き出し部（２６）は、前記基部の表面領域（Ｑ）近傍に、前記主要な表面領域（Ｐ）を越えて突き出すように設けられ、少なくとも１つの前記ピン（２８）は、該突き出し部（２６）の各々に前記上側部（Ｒ）の方へ突き出すように設けられ、リセス部（３２）が前記モジュールハウジングの基部表面領域（Ｑ）上に形成され、前記リセス部（３２）が突き出し部（２６）及びピン（２８）に対応することを特徴とする。このため、オプション的な複雑な複式スイッチ用のモジュールハウジングを比較的簡単な同一の鋳型により製造することを可能にする。接続要素は、簡単な形状の構成要素であり、その製造も同様に、殆ど費用を必要としない。隣接するスイッチ装置は、均一な幾何学的形態とし、また、それらを互いに識別するため表象を付すことができる。
【０００７】
プラスチックを射出成形することによりモジュールハウジング及び接続要素を製造することが特に、便宜である。複式スイッチのモジュールハウジングは、好ましくは、相互係止嵌め及び溶接の双方により接続要素に対し、従って、互いに結合されることが好ましい。
【０００８】
また、前記モジュールハウジング（１２）の一側部における前記突き出し部（２６）及びリセス部（３２）が、反対側のものと寸法、形状、配置の性質の少なくとも１つにて相違する.
また、前記各モジュールハウジング（１２）が、前記リセス部（３２）及び前記ピン（２８）の係合により前記接続要素（１４）に結合される。
【０００９】
また、前記モジュールハウジング（１２）が、前記リセス部（３２）及び前記ピン（２８）の係合及び溶接の双方により前記接続要素（１４）に結合される。
テンプレートを使用し且つその後に、最終的な位置を設定すべく溶接することによりモジュールハウジングを共通のスイッチの前面パネルに対し完全に整合させることが実現可能である。
【００１０】
必要な数の接続部品を有するモジュールハウジングを機械的に結合し且つ予負荷を加えるべく、２つの端子側部に設けられた確実接続要素は、偏向させることが好ましい、すなわち、１つのスイッチ配列内にてモジュールハウジングの方向決めを間違いなく行うことを保証し得るように、形状、寸法及び配置のような性質の１つのみが相違するようにすることが好ましい。
【００１１】
本発明の更なる特徴及び有利な点は、１つの好ましい実施の形態の以下の説明及び添付図面を参照することにより理解されよう。
【００１２】
【発明の実施の形態】
先ず、図１を参照すると、全体として、参照番号１０で示した複式スイッチが図示されており、該複式スイッチは、各々がモジュールハウジング１２と、隣接するモジュールハウジングを接続する接続要素１４とを有する２つのスイッチ装置を備えている。この均一なモジュールハウジング１２は、全体として円筒状であり、所望の外観に対応する断面形状を有し、また、車のダッシュボード取り付け部における一般的なスイッチの前面パネルに挿入し得る設計とされている。該モジュールハウジングと、接続要素１４とは夫々鋳型を使用して、プラスチックを射出成形することにより製造される。一般的なスイッチの前面パネル内にて整合し得るようにするため、モジュールハウジング１２は、周縁の支持カラー１６を有し、また、モジュールハウジングには、掛止め要素１８が設けられ、該掛止め要素は、スイッチの前面パネルの開口部内に挿入されたとき、この開口部の縁部を把持する。スイッチ装置の各々には、対応するモジュールハウジング１２内を摺動可能に案内されるキー２０が設けられており、これにより、キーには、照明可能な表象（ｓｙｍｂｏｌ）を設けることができる。
【００１３】
接続要素１４は、モジュールハウジング１２の側面領域に接続することのできる２つの平行な主要な表面領域Ｐと、基部の表面領域Ｑと、該基部の表面領域に対して平行な上側部Ｒと、２つの狭小な表面領域Ｓとを備える略平行六面体状の基部本体２２から成っている。基部の表面領域Ｑから遠方のこれらの表面領域の狭小な側部表面領域Ｓには、垂直に突き出すフランジ２４が成形されている。該フランジ２４は、モジュールハウジングの側壁と緊密に係合させることのできる２つの接続面領域２４ａを備えている。主要な表面領域Ｐを越えて突き出す２つの突き出し部としてのタブ２６が基部の表面領域Ｑに成形されている。基部本体２２の両側部におけるタブ２６の配置は、左右非対称である。タブ２６の各々は、上側部Ｒに向けて突き出す少なくとも１つのピン２８を備えている。各接続要素１４の２つの中心決めピン２８は、寸法及び／又は形状の点にて相違する。
【００１４】
複式スイッチ１０を装着するとき、最初に、タブ２６を接続要素１４の中心決めピン２８と共に、モジュールハウジング１２の対応するリセス部３２内に挿入係合することにより隣接するモジュールハウジング１２に予負荷を加え、これにより、フランジ２４の接続表面領域２４ａが支持カラー１６の下部に係合するようにする。中心決めピン２８の寸法の相違により提供される偏向（ｐｏｌａｒｉｚａｔｉｏｎ）は、スイッチ装置が複式スイッチ１０内で違う方向に方向決めされること、すなわち、１８０°回転するのを防止する。次に、モジュールハウジング１２をテンプレート内で正確に整合させる。その後、図１に参照番号３６で示すように、接続表面領域２４ａ内にて、溶接により、好ましくは超音波溶接により最終的な位置を実現する。
【図面の簡単な説明】
【図１】２つのスイッチモジュールを含む複式スイッチの斜視図である。
【図２】複式スイッチの詳細な断面図である。
【図３】拡大縮尺による接続要素の斜視図である。
【符号の説明】
１０ 複式スイッチ １２ モジュールハウジング
１４ 接続要素 １６ 支持カラー
１８ 掛止め要素 ２０ キー
２２ 基部本体 ２４ フランジ
２４ａ 接続面領域 ２６ タブ
２８ 中心決めピン ３２ リセス部
３６ 超音波溶接箇所
【図１】
0003701559.tif 000002
【図２】
0003701559.tif 000003
【図３】
0003701559.tif 000004